(57)【要約】【課題】多様なコンテンツに対応して適切な画像投射を行うことができ、条件設定用の設備を省略して低コスト化できるプロジェクター及びその設定方法を提供すること。【解決手段】制御部１１が、使用状況情報を入力部であるキー入力処理部１３の操作に応じて特定し情報提供サーバー５０に送信するとともに、使用状況情報に対応して情報提供サーバー５０で準備される動作設定情報を情報提供サーバー５０から受信し、画像処理部１５及び映像投射部１７による投射動作を動作設定情報に基づいて調整するので、多様な画像情報に対応して適切な画像投射を行うことができるとともに、条件設定用の設備を省略しつつもプロジェクター１０の仕様や使用状況に応じた適切な動作設定が可能になる。【選択図】図１
2011217310.tif 000002
【特許請求の範囲】
【請求項１】
画像情報に基づいて画像処理を行う画像処理部と、
前記画像処理部から出力される画像信号に基づいて画像を投射する映像投射部と、
ネットワークに接続するための通信部と、
前記画像情報の画像内容、または前記画像を投射する投射環境を含む使用状況情報を、前記通信部及び前記ネットワークを介して情報提供サーバーに送信するとともに、前記使用状況情報に対応して前記情報提供サーバーで準備される動作設定情報を前記情報提供サーバーから受信し、前記画像処理部及び前記映像投射部による投射動作を前記動作設定情報に基づいて調整する制御部と
を備えることを特徴とするプロジェクター。
【請求項２】
操作情報が入力される入力部を備え、
前記制御部は、
前記使用状況情報を入力させるための内容を有する照会情報を、前記情報提供サーバーから受信し、前記照会情報を画像として前記映像投射部に投射させ、
前記照会情報と、前記入力部に入力された前記操作情報とに基づいて、前記使用状況情報を特定することを特徴とする請求項１に記載のプロジェクター。
【請求項３】
記録媒体に記録された前記画像情報を読み取って出力する画像再生部をさらに備え、
前記使用状況情報は、前記画像再生部の仕様に関する情報を含むことを特徴とする請求項１または請求項２に記載のプロジェクター。
【請求項４】
前記使用状況情報は、前記記録媒体の識別情報を含むことを特徴とする請求項３に記載のプロジェクター。
【請求項５】
前記使用状況情報は、前記画像情報としてのビデオコンテンツのジャンルまたはタイトルを含むことを特徴とする請求項１から請求項４までのいずれか一項に記載のプロジェクター。
【請求項６】
前記使用状況情報は、前記プロジェクターの設置場所の状況に関する情報を含むことを特徴とする請求項１から請求項５までのいずれか一項に記載のプロジェクター。
【請求項７】
前記動作設定情報は、色合い、色の濃さ、シャープネス、明るさ、またはコントラストを含むことを特徴とする請求項１から請求項６までのいずれか一項に記載のプロジェクター。
【請求項８】
画像情報に基づいて画像を投射するプロジェクターにおける画像表示方法であって、
前記プロジェクターが、
前記画像情報の画像内容、または前記画像を投射する投射環境を含む使用状況情報を、ネットワークを介して情報提供サーバーに送信し、
前記使用状況情報に対応して、前記情報提供サーバーで準備される動作設定情報を、前記情報提供サーバーから受信し、
前記動作設定情報に従って、前記画像情報に基づく画像処理を行って画像信号を出力し、
前記動作設定情報に従って、前記画像信号に基づく画像を投射する
画像表示方法。
【発明の詳細な説明】
【技術分野】
【０００１】
本発明は、ネットワークに接続可能で、画質等の条件を半自動的に設定可能なプロジェクター、及びかかるプロジェクターにおける画像表示方法に関する。
【背景技術】
【０００２】
画像表示装置として、入力画像のコンテンツの分類を決定するとともに、この分類ごとに画質の印象として表現された表示調整項目を表示し、ユーザーから表示調整項目に対する設定値の入力を受け付け、受け付けた設定値に応じた画像パラメータを算出して画像処理を行うものが存在する（特許文献１参照）。
【０００３】
また、別の画像表示装置として、ネットワークからカラー画像を取得するとともに、カメラ等を用いてカラー画像表示装置の再現特性と観察照明条件とを取得し、これら再現特性と観察照明条件とに基づいて取得したカラー画像に色変換を施すものが存在する（特許文献２参照）。この際、色変換を行うための色変換プロファイルをネットワーク経由でダウンロードできる。
【先行技術文献】
【特許文献】
【０００４】
【特許文献１】特開２００９−２６７９２９号公報
【特許文献２】特開２００１−６００８２号公報
【発明の概要】
【発明が解決しようとする課題】
【０００５】
しかし、特許文献１の画像表示装置は、ユーザーから受け付けた設定値に応じた画像パラメータをそれ自体で算出して画像処理を行うので、多様なコンテンツに対応して適切な画像表示を行うことが容易でない。
【０００６】
また、特許文献２の画像表示装置は、カラー画像表示装置の再現特性と観察照明条件とを取得して、ネットワーク上の色再現サーバーに送信するので、カメラ等の設備を端末側に設ける必要があり、条件設定用の設備が複雑となってコストが増加する。
【０００７】
そこで、本発明は、多様なコンテンツに対応して適切な画像投射を行うことができ、条件設定用の設備を省略して低コスト化できるプロジェクター及び画像表示方法を提供することを目的とする。
【課題を解決するための手段】
【０００８】
上記課題を解決するため、本発明に係るプロジェクターは、画像情報に基づいて画像処理を行う画像処理部と、画像処理部から出力される画像信号に基づいて画像を投射する映像投射部と、ネットワークに接続するための通信部と、画像情報の画像内容、または画像を投射する投射環境を含む使用状況情報を、通信部及びネットワークを介して情報提供サーバーに送信するとともに、使用状況情報に対応して情報提供サーバーで準備される動作設定情報を情報提供サーバーから受信し、画像処理部及び映像投射部による投射動作を上述の動作設定情報に基づいて調整する制御部とを備える。
【０００９】
上記プロジェクターによれば、制御部が、使用状況情報を情報提供サーバーに送信するとともに、使用状況情報に対応して情報提供サーバーで準備される動作設定情報を情報提供サーバーから受信し、画像処理部及び映像投射部による投射動作を動作設定情報に基づいて調整するので、多様な画像情報に対応して適切な画像投射を行うことができるとともに、条件設定用の設備を省略しつつもプロジェクターの仕様や使用状況等に応じた適切な動作設定が可能になる。
【００１０】
本発明の具体的な側面又は態様では、プロジェクターにおいて、操作情報が入力される入力部を備え、制御部が、使用状況情報を入力させるための内容を有する照会情報を、情報提供サーバーから受信し、照会情報を画像として映像投射部に投射させ、照会情報と、入力部に入力された操作情報とに基づいて、使用状況情報を特定する。この場合、プロジェクターと情報提供サーバーとの間でインタラクティブな情報取得が可能になり、使用状況情報の送信の作業性を高めることができる。
【００１１】
本発明のさらに別の態様では、記録媒体に記録された画像情報を読み取って出力する画像再生部をさらに備え、使用状況情報は、画像再生部の仕様に関する情報を含む。この場合、記録媒体の規格等を反映した動作設定情報を得ることができる。
【００１２】
本発明のさらに別の態様では、使用状況情報は、記録媒体の識別情報を含む。この場合、識別情報に基づいて動作設定情報が準備されて、プロジェクターに設定されるので、入力部での操作を省略することができる。
【００１３】
本発明のさらに別の態様では、使用状況情報が、画像情報としてのビデオコンテンツのジャンルまたはタイトルを含む。この場合、ビデオの再生投射をその内容に適合したものとすることができる。
【００１４】
本発明のさらに別の態様では、使用状況情報が、プロジェクターの設置場所の状況に関する情報を含む。この場合、画像の投射をプロジェクターの場所や照明の状況に適合したものとすることができる。
【００１５】
本発明のさらに別の態様では、動作設定情報が、色合い、色の濃さ、シャープネス、明るさ、またはコントラストを含む。この場合、色合い、色の濃さ、シャープネス、明るさ、及びコントラストを、プロジェクターの使用状況に適合したものとすることができる。
【００１６】
本発明は、画像情報に基づいて画像を投射するプロジェクターにおける画像表示方法であって、プロジェクターが、画像情報の画像内容、または画像を投射する投射環境を含む使用状況情報を、ネットワークを介して情報提供サーバーに送信し、使用状況情報に対応して、情報提供サーバーで準備される動作設定情報を、情報提供サーバーから受信し、動作設定情報に従って、画像情報に基づく画像処理を行って画像信号を出力し、動作設定情報に従って、前記画像信号に基づいて画像を投射する。
【００１７】
上記表示方法によれば、プロジェクターは、使用状況情報を情報提供サーバーに送信するとともに、使用状況情報に対応して情報提供サーバーで準備される動作設定情報を情報提供サーバーから受信し、画像処理部及び映像投射部による投射動作を動作設定情報に基づいて調整するので、多様な画像情報に対応して適切な画像投射を行うことができるとともに、条件設定用の設備を省略しつつもプロジェクターの仕様や使用状況等に応じた適切な動作設定が可能になる。
【図面の簡単な説明】
【００１８】
【図１】実施形態のプロジェクターを備える画像投射システムを説明するブロック図である。
【図２】キー操作部を構成するキー要素を例示する図である。
【図３】情報提供サーバーを説明するブロック図である。
【図４】プロジェクターの動作を説明するフロー図である。
【図５】（Ａ）〜（Ｃ）は、プロジェクターの操作と表示例を説明する図である。
【図６】（Ａ）〜（Ｃ）は、プロジェクターの操作と表示例を説明する図である。
【図７】プロジェクターの操作と表示例を説明する図である。
【発明を実施するための形態】
【００１９】
以下、図面を参照して、本発明の一実施形態に係るプロジェクターについて詳細に説明する。
【００２０】
図１は、実施形態のプロジェクターを含む画像投射システムを説明するブロック図である。図示の画像投射システム１００は、プロジェクター１０と、情報提供サーバー５０とを備え、プロジェクター１０と情報提供サーバー５０とは、インターネット７０を介して相互に通信可能になっている。
【００２１】
プロジェクター１０は、その本体１０ａとして、制御部１１と、記憶部１２と、キー入力処理部１３と、入力選択部１４と、画像処理部１５と、映像投射部１７と、通信部１８と、メディア再生部２０と、電源部２２とを備えている。
【００２２】
制御部１１は、プロジェクター１０の全体的な動作を制御している。つまり、制御部１１は、記憶部１２、キー入力処理部１３、入力選択部１４、画像処理部１５、メディア再生部２０、電源部２２等と通信可能に接続されており、これらの部分から情報を取り込み、或いはこれらの部分に制御信号等を送って動作状態を制御している。制御部１１は、映像投射部１７や画像処理部１５による投射動作を、後述する動作設定情報に基づいて調整することができる。
【００２３】
記憶部１２は、プロジェクター１０を動作させるために必要なプログラム、データ等を保持する。特に、記憶部１２は、アクセスプログラム保存部１２ａにおいて、情報提供サーバー５０と通信して使用状況情報をアップロードするとともに動作設定情報をダウンロードするためのプログラムを記憶する。また、記憶部１２は、メディア情報保存部１２ｂにおいて、過去に再生したビデオディスク２０ｄの識別情報や、これに対応する動作設定情報を保管する。
【００２４】
キー入力処理部１３は、ユーザーの指示を入力するための入力部であり、一組の操作キーを含むキー操作部２８を有しており、ＵＩとしてのディスプレイを付随させることもできる。キー入力処理部１３に付随してリモコン受光部２５が設けられており、リモコン２６から無線で遠隔的に指令信号を受け取ることができるようになっている。なお、キー操作部２８には、図２に例示するように、パワーボタン２８ａ、メニューボタン２８ｂ、エスケープボタン２８ｃ、４つの方向を示す三角ボタン２９ａ，２９ｂ，２９ｃ，２９ｄ、エンターボタン２９ｅ、１２個の記号入力ボタン２９ｆ等が、一組の操作キーとして適当な配列で設けられている。これらのボタン２８ａ，２８ｂ，２８ｃ，２９ａ，２９ｂ，２９ｃ，２９ｄ，２９ｅ，２９ｆ、すなわち一組の操作キーは、キー操作部２８だけでなくリモコン２６にも設けることができ、その場合、キー操作部２８に設ける操作キー又はボタンの数を減らすこともできる。
【００２５】
図１に戻って、メディア再生部２０は、データ読取部２０ａと、信号処理部２０ｂと、ディスク取込排出機構２０ｃとを有する。メディア再生部２０は、ＤＶＤ、ＢＤ等の画像記録媒体であるビデオディスク２０ｄに記録された情報を読み取って、この情報に基づく画像信号を出力する画像再生部に相当するものである。データ読取部２０ａは、制御部１１の指示に基づいて、挿入されたビデオディスク２０ｄに記録されている識別情報と映像情報とを読み取り、読み取った識別情報を制御部１１に通知する。データ読取部２０ａによって読み取られた映像情報は、信号処理部２０ｂに順次出力される。信号処理部２０ｂは、制御部１１の指示に基づいて、データ読取部２０ａから入力される映像情報を画像信号と音声信号とに分離する処理や、分離した画像信号や音声信号をデコード（復号化）する処理等を行う。信号処理部２０ｂは、復号化された画像信号や音声信号を後述する入力選択部１４に出力する。ディスク取込排出機構２０ｃは、制御部１１の指示に基づいて、ビデオディスク２０ｄをプロジェクター１０内に収納したり、収納されたビデオディスク２０ｄをプロジェクター１０外へ排出したりする。
【００２６】
入力選択部１４は、コネクター４１に接続される不図示のコンピューターその他の画像出力装置（不図示）やメディア再生部２０のいずれから画像信号を受け取るかを選択するためのものであり、キー入力処理部１３での入力操作により、入力される画像信号を切り替えることができる。
【００２７】
画像処理部１５は、メディア再生部２０等で読み取られた画像信号又は画像データに対して、あるいは入力選択部１４を介して外部から入力された画像信号等に対して、制御部１１の指令に基づいて、色合い、色の濃さ、シャープネス、明るさ、コントラスト等の画質調整のほか、シフト補正、倍率補正、歪補正等を含む各種補正を行うことができる。なお、画質調整には、各色ごとに明るさ、コントラスト等の調整を行うことも含まれる。また、画像処理部１５は、制御部１１の指令に基づいて、入力された画像信号等に代えて或いは重畳して文字情報、データ情報等を表示する画像信号を、記憶部１２等から取り出した画像データから生成することができる。
【００２８】
映像投射部１７は、画像処理部１５から出力された画像処理後の画像信号に基づいてＲＧＢの各色用の液晶パネルを駆動する液晶パネル駆動部１７ａを有する。具体的な説明は省略するが、映像投射部１７は、光学系として、例えば照明装置、各色用の液晶パネル、合成プリズム、投射レンズ等を備えており、液晶パネルからなる各色用の液晶ライトバルブを透過した光を合成して投射することで、カラー画像をスクリーン上等に表示する。つまり、プロジェクター１０は、メディア再生部２０と映像投射部１７とを備えることで、ＤＶＤその他のメディア再生装置内蔵型のプロジェクターとなっている。なお、映像投射部１７の光学系は、液晶方式に限らず、デジタル・マイクロミラー・デバイス方式、ＬＣＯＳ方式、ＧＬＶ方式など、種々の方式を用いたものとできる。
【００２９】
通信部１８は、通信を可能にするインターフェイス回路である。通信部１８は、例えば有線による通信を可能にする有線型のインターフェイス回路とすることができ、或いは無線による通信を可能にする無線型のインターフェイス回路とすることがきる。
【００３０】
なお、電源部２２は、制御部１１の制御下で動作し、プロジェクター１０の各部に電力を供給する。
【００３１】
図３に示すように、情報提供サーバー５０は、制御部５１と、記憶部５２と、入出力部５３と、通信部５６とを備えている。
【００３２】
制御部５１は、情報提供サーバー５０の機能全体を制御している。つまり、制御部５１は、記憶部５２、入出力部５３、通信部５６等と通信可能に接続されており、これらの部分から情報を取り込み、或いはこれらの部分に制御信号等を送って動作状態を制御している。
【００３３】
記憶部５２は、情報提供サーバー５０を動作させるために必要なプログラム、データ等を保持する。また、記憶部５２は、ビデオディスク２０ｄ等の各種メディアに関するデータベース５２ｃを有しており、データベース５２ｃに保管された設定情報からプロジェクター１０を適切に動作させるための動作設定情報（例えば、画質や映像調整に関する設定情報）を抽出可能にしている。データベース５２ｃは、ビデオディスク２０ｄ等の各種メディアによって頒布される映画、番組、ゲーム等のコンテンツを区別、分類等するためのコンテンツ識別情報を有しており、例えばビデオディスク２０ｄについては、映画その他のコンテンツのタイトル、ジャンル、邦画・洋画の別、ＤＶＤ、ＢＤ等のメディアの種別、解像度等に関する情報を含んでいる。また、データベース５２ｃは、プロジェクター１０の仕様に関するプロジェクター情報を有しており、例えば明るさ、解像度、投射倍率、動作モードの種類等に関する情報を含んでいる。なお、データベース５２ｃは、常時更新されており、最新のビデオディスク２０ｄやプロジェクター１０に対応できるようになっている。
【００３４】
入出力部５３は、管理者が操作するものであり、ティスプレイやキーボード等を備える。また、通信部５６は、インターネット７０等の外部通信網に接続するためのインターフェイス装置である。
【００３５】
以下、図４等を参照して、図１に示すプロジェクター１０等の動作設定情報の取込動作について説明する。なお、このような動作設定情報の取込動作は、例えばユーザーがディスク取込排出機構２０ｃを利用してメディア再生部２０にビデオディスク２０ｄを取り込んだ際にスタートさせることができる。
【００３６】
図５（Ａ）〜５（Ｃ）は、動作設定情報の取込動作の開始まで具体的に説明する図である。まず、図５（Ａ）に具体的手順ＫＯで示すように、ユーザーがキー入力処理部１３に設けたキー操作部２８のメニュー（ＭＥＮＵ）ボタン２８ｂを押しエンター（ＥＮＴＥＲ）ボタン２９ｅを押すと、映像投射部１７による投射画面ＰＥ中の表示ＤＰにおいて画質の設定が選択され、右向きの三角ボタン２９ｃを押すと、カラーモードの設定の表示に移行する。次に、図５（Ｂ）に具体的手順ＫＯで示すように、ユーザーがキー操作部２８の下向きの三角ボタン２９ｂを何度か押すと、映像投射部１７による投射画面ＰＥ中の表示ＤＰおいてカーソルがダウンロードの表示に移行する。さらに、図５（Ｃ）に具体的手順ＫＯで示すように、ユーザーがキー操作部２８のエンターボタン２９ｅを押すと、以下に説明する動作設定情報の取込動作が開始する。
【００３７】
動作設定情報の取込動作が開始すると、プロジェクター１０の制御部１１は、通信部１８を適宜動作させ、ルーター６１及びプロバイダー６２を介して、インターネット７０延いては情報提供サーバー５０への接続を試みる（ステップＳ１０）。この際、プロジェクター１０の制御部１１は、画像処理部１５や映像投射部１７を利用して、ユーザーに認識可能にしたダウンロード中である旨のメッセージを含む表示ＤＰを投射画面ＰＥ中に表示させる（図５（Ｃ）参照）。
【００３８】
次に、制御部１１は、プロジェクター１０と情報提供サーバー５０とが接続され、互いに通信可能になったか否かを確認する（ステップＳ１１）。なお、制御部１１は、情報提供サーバー５０に接続できなかった場合、画像処理部１５や映像投射部１７を利用して、ユーザーが認識可能なエラーメッセージを投射させ（ステップＳ２１）、処理を終了する。
【００３９】
プロジェクター１０と情報提供サーバー５０とが接続されて通信可能になった場合、制御部１１は、情報提供サーバー５０にアクセスして、ビデオディスク２０ｄ等のジャンル一覧を照会情報として取得する（ステップＳ１２）。具体的には、制御部１１は、情報提供サーバー５０にＤＶＤ等のビデオコンテンツに関するジャンル一覧のダウンロードを要求するコマンドを出力し、情報提供サーバー５０の制御部５１は、このコマンドを受け取った場合、記憶部５２に保管されたデータベース５２ｃからジャンル一覧に関するデータを読み出して適当な形式でプロジェクター１０に送信する。
【００４０】
次に、プロジェクター１０の制御部１１は、画像処理部１５や映像投射部１７を利用して、ユーザーが視覚的に認識可能なジャンル一覧を投射させるとともに、ユーザーによるキー入力処理部１３の操作（すなわち照会情報に対処する操作）を受け付ける（ステップＳ１３）。これにより、ユーザーは、画像内容としてメディア再生部２０に取り込んだビデオディスク２０ｄ等のジャンルをメニュー画面から選択することができる。具体的には、図６（Ａ）に示すように、投射画面ＰＥ中において、画質設定中であること示すタイトルバーＡ１と、ジャンル設定中であることを示す領域Ａ２と、ジャンル欄Ａ３とを含む表示ＤＰとを表示させる。ユーザーは、具体的手順ＫＯ内に示すように、キー入力処理部１３に設けたキー操作部２８の上下向きの三角ボタン２９ａ，２９ｃを押すことにより、表示ＤＰおいてカーソルを移動させて目的とするジャンルの表示に移行する。さらに、ユーザーがキー操作部２８のエンターボタン２９ｅを押すと、日本映画の欄が選択される。
【００４１】
次に、プロジェクター１０の制御部１１は、情報提供サーバー５０にアクセスして、ビデオディスク２０ｄ等のタイトル一覧を照会情報として取得する（ステップＳ１４）。具体的には、制御部１１は、情報提供サーバー５０にＤＶＤ等のビデオコンテンツに関するタイトル一覧のダウンロードを要求するコマンドを出力し、情報提供サーバー５０の制御部５１は、このコマンドを受け取った場合、記憶部５２に保管されたデータベース５２ｃからタイトル一覧に関するデータを読み出して適当な形式でプロジェクター１０に送信する。
【００４２】
次に、プロジェクター１０の制御部１１は、画像処理部１５や映像投射部１７を利用して、ユーザーが視覚的に認識可能なタイトル一覧を投射させるとともに、ユーザーによるキー入力処理部１３の操作（すなわち照会情報に対処する操作）を受け付ける（ステップＳ１５）。これにより、ユーザーは、画像内容としてメディア再生部２０に取り込んだビデオディスク２０ｄ等のタイトルをメニュー画面から選択することができる。具体的には、図６（Ｂ）に示すように、投射画面ＰＥ中において、タイトルバーＡ１のほかに、ジャンルの設定を示す領域Ａ２１と、タイトル設定中であることを示す領域Ａ３１と、タイトル欄Ａ４とを含む表示ＤＰとを表示させる。ユーザーは、具体的手順ＫＯ内に示すように、キー入力処理部１３に設けたキー操作部２８の上下向きの三角ボタン２９ａ，２９ｃを押すことにより、表示ＤＰおいてカーソルを移動させて目的とするタイトルの表示に移行する。さらに、ユーザーがキー操作部２８のエンターボタン２９ｅを押すと、第１のタイトルが選択される。なお、タイトルの設定については、ユーザーがキー操作部２８の記号入力ボタン２９ｆを利用して直接入力することもできる。
【００４３】
次に、プロジェクター１０の制御部１１は、情報提供サーバー５０にアクセスして、ビデオディスク２０ｄ等の設置場所である部屋の環境に関する一覧を照会情報として取得する（ステップＳ１６）。具体的には、制御部１１は、情報提供サーバー５０に明るさ等に関連する部屋の環境一覧のダウンロードを要求するコマンドを出力し、情報提供サーバー５０の制御部５１は、このコマンドを受け取った場合、記憶部５２に保管されたデータベース５２ｃから部屋の環境一覧に関するデータを読み出して適当な形式でプロジェクター１０に送信する。
【００４４】
次に、プロジェクター１０の制御部１１は、画像処理部１５や映像投射部１７を利用して、ユーザーが視覚的に認識可能な部屋の環境一覧を投射させるとともに、ユーザーによるキー入力処理部１３の操作（すなわち照会情報に対処する操作）を受け付ける（ステップＳ１７）。これにより、ユーザーは、投射環境として、プロジェクター１０の設置環境をメニュー画面から選択することができる。具体的には、図６（Ｃ）に示すように、投射画面ＰＥ中において、タイトルバーＡ１、ジャンルの設定を示す領域Ａ２１と、タイトルの選択を示す領域Ａ３２と、部屋の環境の設定中であることを示す領域Ａ４１と、部屋の環境欄Ａ５とを含む表示ＤＰとを表示させる。ユーザーは、具体的手順ＫＯ内に示すように、キー入力処理部１３に設けたキー操作部２８の上下向きの三角ボタン２９ａ，２９ｃを押すことにより、表示ＤＰおいてカーソルを移動させて目的とする部屋環境の表示に移行する。さらに、ユーザーがキー操作部２８のエンターボタン２９ｅを押すと、明るい部屋が選択される。
【００４５】
その後、プロジェクター１０の制御部１１は、画像処理部１５に取り込まれる画像信号からその解像度を判定し、メディア再生部２０に取り込んだビデオディスク２０ｄ等を再生した画像信号を画像処理部１５や映像投射部１７を介して投射する際の解像度設定を行う（ステップＳ１８）。
【００４６】
次に、プロジェクター１０の制御部１１は、情報提供サーバー５０にアクセスして、プロジェクター１０の画像処理部１５等に設定すべき動作設定情報をダウンロードし、記憶部５２に保管する（ステップＳ１９）。図７は、ダウンロード直前における映像投射部１７による投射画面ＰＥ中の表示ＤＰの一例を示す。この場合、投射画面ＰＥ中において、タイトルバーＡ１、ジャンルの設定を示す領域Ａ２１と、タイトルの選択を示す領域Ａ３２と、部屋の環境の設定を示す領域Ａ４２と、実行ボタンＡ６１と、中止ボタンＡ６２とを含む表示ＤＰとを表示させる。ユーザーが、具体的手順ＫＯ内に示すようにキー入力処理部１３に設けたキー操作部２８の左右向きの三角ボタン２９ｃ，２９ｄを押すことにより、表示ＤＰおいてカーソルを移動させてダウンロードの実行を選択する。
【００４７】
ステップＳ１９で動作設定情報をダウンロードする際に、制御部１１は、ステップＳ１３で設定したジャンル、ステップＳ１５で設定したタイトル、ステップＳ１７で設定した設置環境等の使用状況情報を情報提供サーバー５０に送信する。また、制御部１１は、情報提供サーバー５０から適切な情報を受け取るために、プロジェクター１０の機種、メディア再生部２０の仕様（ビデオディスク２０ｄがＤＶＤかＢＤかといった情報を含む）、ステップＳ１８で得た解像度その他に関する付加情報を一種の使用状況情報として情報提供サーバー５０に送る。情報提供サーバー５０では、プロジェクター１０から受け取った使用状況情報や付加情報に基づいて最適と認められる動作設定情報を作成する。この際、情報提供サーバー５０の制御部５１は、記憶部５２のデータベース５２ｃに保管したテーブル等に基づいて現在アクセス中のプロジェクター１０の使用状況情報等を参酌して動作設定情報を決定する。具体的には、プロジェクター１０の動作設定情報として、色合い、色の濃さ、シャープネス、明るさ、コントラスト等の画質調整にからむ事項が決定される。
【００４８】
その後、プロジェクター１０の制御部１１は、ステップＳ１９で情報提供サーバー５０から受け取った動作設定情報に含まれている設定値を登録する（ステップＳ２０）。つまり、映像投射部１７や画像処理部１５の動作パラメータが適宜設定される。
【００４９】
その後は、プロジェクター１０のメディア再生部２０において、ビデオディスク２０ｄに記録されている映像情報の読み取りを行って、映像投射部１７や画像処理部１５に投射動作を行わせる。その際、ダウンロードした動作設定情報に基づいて映像投射部１７や画像処理部１５の動作状態、具体的には、色合い、色の濃さ、シャープネス、明るさ、コントラスト等のパラメータを自動的に設定されているので、見ている画像に最適な動作状態を表示することができる。これにより、プロジェクター１０の性能を最大限に引き出すことができる。
【００５０】
以上のように、本実施形態のプロジェクター１０によれば、制御部１１が、使用状況情報を入力部であるキー入力処理部１３の操作に応じて特定し情報提供サーバー５０に送信するとともに、使用状況情報に対応して情報提供サーバー５０で準備される動作設定情報を情報提供サーバー５０から受信し、画像処理部１５及び映像投射部１７による投射動作を動作設定情報に基づいて調整するので、多様な画像情報に対応して適切な画像投射を行うことができるとともに、条件設定用の設備を省略しつつもプロジェクター１０の仕様や使用状況に応じた適切な動作設定が可能になる。
【００５１】
以上実施形態に即して本発明を説明したが、本発明は、上記の実施形態に限られるものではなく、その要旨を逸脱しない範囲において種々の態様において実施することが可能であり、例えば次のような変形も可能である。
【００５２】
上記実施形態では、メディア再生部２０によってビデオディスク２０ｄを再生する場合について説明したが、インターネット７０からビデオコンテンツをダウンロードして視聴する場合も同様の処理が可能である。ただし、この場合、図４のジャンル一覧の取得（ステップＳ１２）、ジャンルの選択（ステップＳ１３）、タイトル一覧の取得（ステップＳ１４）、タイトルの選択（ステップＳ１５）等はビデオコンテンツのダウンロードと合わせて行われ、動作設定情報の取込動作に際しては不要となる。また、インターネット７０からのダウンロードによる視聴後に別のメディアを再生する場合、ダウンロードのコンテンツにあわせた設定では不適切な場合もあるので、ダウンロードしたコンテンツの視聴が終わった時点で、設定情報を初期の設定情報や、ダウンロードコンテンツの視聴前の設定情報に戻すようにするのが好ましい。
【００５３】
また、上記実施形態では、ビデオコンテンツに関するジャンルやタイトルを画像内容に関する使用状況情報とし、部屋の明るい暗いといった条件を投射環境に関する使用状況情報としたが、これらは単なる例示に過ぎない。例えば、データ読取部２０ａで読み取ったビデオディスク２０ｄの識別情報を使用状況情報として送信することができ、この場合は、図６の（Ａ）、（Ｂ）のようなユーザーによるタイトルやジャンルの選択を省略することも可能である。また、ビデオコンテンツの分野、例えばミュージカル、アクション物、ＳＦ等の分野を使用状況情報とすることもできる。つまり、使用状況情報として様々な条件やパラメータ等を設定することができる。
【００５４】
また、上記実施形態では、部屋の明るい暗いといった投射環境に関する使用状況情報を、ユーザー操作に基づいて決定していたが、これに限らず、照度センサーを用いて測定した照度を投射環境に関する使用状況情報としてもよい、この場合は、図６の（Ｃ）のようなユーザーによる選択を省略することができる。
【００５５】
上記実施形態では、記録媒体（画像記録媒体）としてＤＶＤやＢＤを用いているが、記録媒体は、これに限らず、フラッシュメモリー、ＳＤメモリーカード等種々のメディアが適用可能である。
【符号の説明】
【００５６】
１０…プロジェクター、  １１…制御部、  １２…記憶部、  １２ａ…アクセスプログラム保存部、  １２ｂ…メディア情報保存部、  １３…キー入力処理部、  １５…画像処理部、  １７…映像投射部、  １８…通信部、  ２０…メディア再生部、  ２０ａ…データ読取部、  ２０ｂ…信号処理部、  ２０ｃ…取込排出機構、  ２０ｄ…ビデオディスク、  ２６…リモコン、  ２８…キー操作部、  ５０…情報提供サーバー、  ５１…制御部、  ５２…記憶部、  ５２ｃ…データベース、  ５３…入出力部、  ５６…通信部、  ６１…ルーター、  ６２…プロバイダー、  ７０…インターネット、  １００…画像投射システム
【図１】
2011217310.tif 000003
【図２】
2011217310.tif 000004
【図３】
2011217310.tif 000005
【図４】
2011217310.tif 000006
【図５】
2011217310.tif 000007
【図６】
2011217310.tif 000008
【図７】
2011217310.tif 000009